(57)【要約】【課題】堅牢であり、かつ信頼性の高いキー構造を提供する。【解決手段】本考案のキー構造は、底部と、第１フレーム及び第２フレームからなるキー支持構造と、キーキャップとを備え、前記第１フレーム上に一対の回動軸が配置されるとともに、前記第１フレームの一対の回動軸を連結するために一対の組み合わせベアリング部材が前記キーキャップの下に配置される。【選択図】図１Ａ
0003131627.tif 000002
【実用新案登録請求の範囲】
【請求項１】
底部と、第１フレーム及び第２フレームからなるキー支持構造と、キーキャップとを備えるキー構造において、
一対の回動軸が前記第１フレーム上に配置されることと、前記第１フレームの一対の回動軸を連結するために、一対の組み合わせベアリング部材が前記キーキャップの下に配置されることとを特徴とするキー構造。
【請求項２】
前記回動軸は仕切り板を備える、請求項１に記載のキー構造。
【請求項３】
前記仕切り板が前記組み合わせベアリング部材を固定するために使用される、請求項２に記載のキー構造。
【請求項４】
前記組み合わせベアリング部材が２個のベアリング部材からなる、請求項１に記載のキー構造。
【考案の詳細な説明】
【技術分野】
【０００１】
本考案はキー構造に関する。より詳細には、本考案は構造的に堅牢な改良されたキー構造に関する。
【背景技術】
【０００２】
情報産業の発展にともない、コンピュータは、業務用途や個人的使用目的で我々の生活に普及している。マウスやキーボード等のコンピュータ周辺機器も、コンピュータの使用において必要不可欠な機器となっている。
【０００３】
コンピュータの使用において、キーボードは重要な役割を果たしている。図２は、キーボード上の従来のキー構造の分解図を示しており、該キー構造は、キーキャップ１００と、第１フレーム２００と、第２フレーム２８０と、底部３１０と、別の底部３２０とを備えている。
【０００４】
キーキャップ１００は、２個のベアリング部材１２０と、２個のストップ部材１３０とからなり、ベアリング部材１２０は凹面１２１を備える。第１フレーム２００は、一対の回動軸２１０と、２個の被保持部材２２０と、一対の中央シャフト２６０とを備える。第２フレーム２８０は、２個の固定部材２５０と、２個の被保持部材２２０と、２個のシャフト穴２７０とを備える。第１フレーム２００の中央シャフト２６０は、第２フレームのシャフト穴２７０に対応する。底部３１０及び３２０はともに複数の固定穴３３０を有する。
【０００５】
従来のキー構造を組み付ける場合、第１フレーム２００の中央シャフト２６０が第２フレーム２８０のシャフト穴２７０と結合され、第１フレーム２００及び第２フレーム２８０によりキー支持構造が形成される。さらに、キー支持構造の第１フレーム２００上に設けられた回動軸２１０は、キーキャップ１００のベアリング部材１２０に設けられた凹面１２１内に支持され、キー支持構造の第２フレーム２８０上に設けられた被保持部材２２０が、キーキャップ１００のストップ部材１３０に連結される。そして第１フレーム２００の２個の被保持部材２２０及び第２フレーム２８０の２個の固定部材２５０が底部３１０及び３２０に連結されて、キーを形成する。
【０００６】
しかしながら、このようなキーアセンブリは、第１フレーム２００の回動軸２１０に対して連結して固定を行うためにキーキャップ１００のベアリング部材１２のみを使用しており、キーアセンブリの十分な堅牢さを得ることができないため、過酷な使用環境には耐えることができない。キーボードにおける基本的な要件は、ユーザによる通常の使用において、キーキャップ１００が容易に損傷したり、外れたりしてはならないことであり、キーは長期間使用された後であっても堅牢さを維持していなければならない。しかしながら、上述したようなアセンブリにおいては、約１〜３ｋｇの力でキーキャップ１００を容易に引き上げることができるため、一定期間使用されると、キーが不安定になってぐらつき始めるようになる。したがって、キーボードが時間の経過とともに正常に機能しなくなり始める。
【考案の開示】
【考案が解決しようとする課題】
【０００７】
このように、産業用途や軍事用途等、過酷な使用環境に耐えうるとともに、時間が経過した後の信頼性及び耐久性を改善したキー構造を開発することが必要とされている。
上述したキーボード使用における限界を解決し、かつ製品の信頼性をさらに高めるために、本考案は、使用においてより堅牢かつより信頼性の高いキー支持構造を提供することを目的とする。
【課題を解決するための手段】
【０００８】
この目的を達成するために、本考案のキー構造は、底部と、第１フレーム及び第２フレームからなるキー支持構造と、キーキャップとを備え、一対の回動軸が前記第１フレーム上に配置されることと、前記第１フレームの一対の回動軸を連結するために一対の組み合わせベアリング部材がキーキャップの下に設けられることとを特徴とする。
【０００９】
好ましくは、回動軸は仕切り板を備える。
好ましくは、仕切り板は組み合わせベアリング部材に固定される。
好ましくは、組み合わせベアリング部材は、２個のベアリング部材からなる。
【００１０】
本考案の組み合わせベアリング部材とベアリング上の仕切り板との使用により、産業用途や軍事用途等、過酷な使用環境により適した、ユーザによってキーキャップが容易に引き抜かれないキー構造が提供される。このようなキー構造は、長期にわたる製品の信頼性を高め、キーをぐらつきのない良好な状態に維持する。
【考案を実施するための最良の形態】
【００１１】
本考案の好ましい実施形態について添付の図面に基づき説明する。これに先立ち、当業者であれば説明される本考案に対して同一の効果を有するように改変を加えることが可能であることや、以下の説明は当業者に対して概要を説明するものであって、本考案の範囲を限定するものとして解釈すべきでないことについて理解されたい。
【００１２】
図１Ａ及び１Ｂは、本考案のキー構造１の分解図と側面図をそれぞれ示している。キー構造１は、底部と、キー支持構造２０と、キーキャップ１０とを備える。底部は底板３０ａ及び３０ｂからなり、キー支持構造２０は第１フレーム２０ａ及び第２フレーム２０ｂからなる。
【００１３】
図１Ａにおいては、底板３０ａ及び３０ｂは、複数の固定穴３１を備える。一対の回動軸２１は、第１フレーム２０ａの一方の側に配置され、２個の被保持部材２２は、回動軸２１に対向する第１フレーム２０ａの他方の側に設けられる。仕切り板２４は、回動軸２１上の適切な位置に配置される。第１フレーム２０ａの回動軸２１及び被保持部材２２のある側とは別の２つの側はそれぞれ、中央シャフト２６を備える。
【００１４】
２個の固定部材２５は、第２フレーム２０ｂの一方の側に設けられ、２個の被保持部材２２は、固定部材２５に対向する第２フレーム２０ｂの他方の側に配置される。第２フレーム２０ｂの固定部材２５及び被保持部材２２のある側とは別の２つの側はそれぞれ、シャフト穴２７を備える。
【００１５】
ユーザが触る面とは反対側のキーキャップ１０の面は、一対の組み合わせベアリング部材１１と２個のストップ部材１３とを備える。各組み合わせベアリング部材１１は２個のベアリング部材１２を備え、該２個のベアリング部材はそれぞれ穴１５を有する。収容部材１４は、組み合わせベアリング部材１１の２個のベアリング部材１２間に位置するように構成され、これにより、組み付け中に組み合わせベアリング部材１１を固定するために第１フレーム２０ａの仕切り板２４を支持することができる。さらに、キーキャップ１０上の組み合わせベアリング部材１１のベアリング部材１２が第１フレーム２０ａの回動軸２１に対応するのに対し、ストップ部材１３は第２フレーム２０ｂの被保持部材２２に対応する。
【００１６】
組み付け工程においては、シャフト穴２７と中央シャフト２６とを結合させると、第１フレーム２０ａ及び第２フレーム２０ｂがキー支持構造２０を形成する。次に、キー支持構造２０の第１フレーム２０ａ上に設けられた回動軸２１が、キーキャップ１０の組み合わせベアリング部材１１に連結され、回動軸２１が穴１５に嵌入される。回動軸の連結中においては、第１フレーム２０ａの回動軸２１上の仕切り板２４が、組み合わせベアリング部材１１のベアリング部材１２上に設けられた収容部材１４内で支持され、第２フレーム２０ｂ上の被保持部材２２がキーキャップ１０のストップ部材１３に対して保持される。その後、第１フレーム２０ａの被保持部材２２と第２フレーム２０ｂの固定部材２５とが底板３０ａ及び３０ｂの固定穴３１へ嵌入され、組み付けが行われたキーを形成する。組み付けられたキーの側面図が図２に示されている。
【００１７】
このように、製品の信頼性が高められ、キー構造がより安定するとともに堅牢になるため、一定期間使用された後であっても、ぐらつき始めて品質が低下することがない。
本考案の好ましい実施形態は、例に開示されている。しかしながら、示される例は、本考案の範囲を限定するものとして解釈されるべきものではなく、本考案の主旨及び請求の範囲から逸脱することなく、すべての改変及び変更は本考案の保護される範囲及び請求の範囲内に包含されるものである。
【図面の簡単な説明】
【００１８】
【図１Ａ】本考案のキー構造の分解図。
【図１Ｂ】本考案の組み付けられたキー構造の側面図。
【図２】従来のキー構造の分解図。
【符号の説明】
【００１９】
１…キー構造、１０…キーキャップ、１１…組み合わせベアリング部材、１２…ベアリング部材、２０…キー支持構造、第１フレーム…２０ａ、第２フレーム…２０ｂ、２１…回動軸、２４…仕切り板、底板…３０ａ、底板…３０ｂ。
【図１Ａ】
0003131627.tif 000003
【図１Ｂ】
0003131627.tif 000004
【図２】
0003131627.tif 000005